(57)【要約】【課題】使用時における使用者の姿勢の自由度を向上することが可能な身体エクササイズ機器を提供する。【解決手段】身体エクササイズ機器１１は、使用者の臀部を支持する座面１２ａと、該座面１２ａ上に向かって膨張及び収縮可能な両エアバッグ１４，１５とを有する座部１２と、座面１２ａ上の左右方向における両端部に互いに対向するように立設されるとともに、該座面１２ａの上方に向かって膨張及び収縮可能な両エアバッグ１６，１７を有する側壁部１３とを備える。そして、座面１２ａ上の前後方向における両端側は開放されている。【選択図】図１
2011239824.tif 000002
【特許請求の範囲】
【請求項１】
使用者の臀部を支持する座面と、該座面上に向かって膨張及び収縮可能な第１エアバッグとを有する座部と、
前記座面上の一方向における両端部に互いに対向するように立設されるとともに、該座面の上方に向かって膨張及び収縮可能な第２エアバッグを有する側壁部と
を備え、
前記座面上の前記一方向と交差する他方向における両端側は開放されていることを特徴とする身体エクササイズ機器。
【請求項２】
前記第１エアバッグ及び前記第２エアバッグは、平面視で前記座面の範囲内に収まっていることを特徴とする請求項１に記載の身体エクササイズ機器。
【請求項３】
前記第１エアバッグ及び前記第２エアバッグは、個別に膨張及び収縮させることが可能に構成されていることを特徴とする請求項１または請求項２に記載の身体エクササイズ機器。
【請求項４】
前記第２エアバッグは、前記一方向に沿って蛇腹状に折り畳まれており、該蛇腹状に折り畳まれた部分のうち最も基端側に位置する部分における下端部が前記側壁部において固定されていることを特徴とする請求項１〜請求項３のうちいずれか一項に記載の身体エクササイズ機器。
【請求項５】
前記第１エアバッグ及び前記第２エアバッグは、伸縮性を有するカバー部材によってそれぞれ覆われており、
前記各エアバッグと前記各カバー部材との間には、クッション材がそれぞれ介在していることを特徴とする請求項１〜請求項４のうちいずれか一項に記載の身体エクササイズ機器。
【発明の詳細な説明】
【技術分野】
【０００１】
本発明は、例えば、骨盤周りや脚部等のエクササイズやストレッチなどを行う身体エクササイズ機器に関する。
【背景技術】
【０００２】
一般に、椅子型のストレッチ機の中には、エアバッグの膨張と収縮を繰り返すことで使用者を適宜押圧してストレッチを行うものが知られている（例えば、特許文献１）。この特許文献１の椅子型ストレッチ機は、使用者が着座する座クッション部と背もたれ部とを有しているとともに、座クッション部及び背もたれ部にはそれぞれ膨縮自在な蛇腹状のエアバッグが内装されている。そして、各エアバッグがそれぞれ膨縮することで、座クッション部に着座した使用者のストレッチが行われるようになっている。
【先行技術文献】
【特許文献】
【０００３】
【特許文献１】特開２００９−８２４２６号公報
【発明の概要】
【発明が解決しようとする課題】
【０００４】
ところで、特許文献１の椅子型ストレッチ機は、背もたれ部を有しているため、使用者が自由に寝そべったり起きあがったりした状態で使用することができず、使用時における使用者の姿勢が制限されてしまうという問題があった。
【０００５】
本発明は、このような課題に着目してなされたものである。その目的とするところは、使用時における使用者の姿勢の自由度を向上することが可能な身体エクササイズ機器を提供することにある。
【課題を解決するための手段】
【０００６】
上記の目的を達成するために、身体エクササイズ機器に係る請求項１に記載の発明は、使用者の臀部を支持する座面と、該座面上に向かって膨張及び収縮可能な第１エアバッグとを有する座部と、前記座面上の一方向における両端部に互いに対向するように立設されるとともに、該座面の上方に向かって膨張及び収縮可能な第２エアバッグを有する側壁部とを備え、前記座面上の前記一方向と交差する他方向における両端側は開放されていることを要旨とする。
【０００７】
上記構成によれば、座面上の一方向と交差する他方向における両端側が開放されているため、使用者が自由に寝そべったり起きあがったりした状態で使用することができる。したがって、使用時における使用者の姿勢の自由度を向上することが可能となる。
【０００８】
請求項２に記載の発明は、請求項１に記載の発明において、前記第１エアバッグ及び前記第２エアバッグは、平面視で前記座面の範囲内に収まっていることを要旨とする。
上記構成によれば、使用時の安定性を向上することが可能となる。
【０００９】
請求項３に記載の発明は、請求項１または請求項２に記載の発明において、前記第１エアバッグ及び前記第２エアバッグは、個別に膨張及び収縮させることが可能に構成されていることを要旨とする。
【００１０】
上記構成によれば、各エアバックの膨張状態及び収縮状態を適宜変更することで、様々なパターンのエクササイズやストレッチを行うことが可能となる。
請求項４に記載の発明は、請求項１〜請求項３のうちいずれか一項に記載の発明において、前記第２エアバッグは、前記一方向に沿って蛇腹状に折り畳まれており、該蛇腹状に折り畳まれた部分のうち最も基端側に位置する部分における下端部が前記側壁部において固定されていることを要旨とする。
【００１１】
上記構成によれば、第２エアバッグが膨張する際の膨張方向が一方向よりも下側にずれるため、第２エアバッグが膨張した際に、該第２エアバッグと膨張した第１エアバッグとで使用者を包み込むように押圧することが可能となる。
【００１２】
請求項５に記載の発明は、請求項１〜請求項４のうちいずれか一項に記載の発明において、前記第１エアバッグ及び前記第２エアバッグは、伸縮性を有するカバー部材によってそれぞれ覆われており、前記各エアバッグと前記各カバー部材との間には、クッション材がそれぞれ介在していることを要旨とする。
【００１３】
上記構成によれば、各エアバッグを膨張させることで、該各エアバッグによりクッション材を介して使用者を押圧することが可能となる。このため、使用者をソフトに押圧することが可能となる。
【発明の効果】
【００１４】
本発明によれば、使用時における使用者の姿勢の自由度を向上することが可能な身体エクササイズ機器を提供することができる。
【図面の簡単な説明】
【００１５】
【図１】実施形態の身体エクササイズ機器を前側から見たときの斜視図。
【図２】同身体エクササイズ機器を後側から見たときの斜視図。
【図３】同身体エクササイズ機器の分解斜視図。
【図４】同身体エクササイズ機器の骨格ユニットの斜視図。
【図５】図４の平面図。
【図６】図１の要部拡大断面図。
【図７】同身体エクササイズ機器の電気的構成を示すブロック図。
【図８】同身体エクササイズ機器において座部左エアバッグ及び左サイドエアバッグが膨張したときの状態を示す平面図。
【図９】図８の正面図。
【図１０】（ａ）〜（ｃ）は骨盤のエクササイズを行っているときの状態を示す説明図。
【図１１】（ａ）〜（ｃ）は太股のエクササイズを行っているときの状態を示す説明図。
【発明を実施するための形態】
【００１６】
以下、本発明の身体エクササイズ機器の一実施形態を図面に基づいて説明する。なお、以下の説明において、「前後方向」、「上下方向」及び「左右方向」をいう場合は、特に説明がない限り、図１において矢印で示す「前後方向」、「上下方向」及び「左右方向」をいうものとする。
【００１７】
まず、身体エクササイズ機器１１の概略構成について説明する。
図１及び図２に示すように、身体エクササイズ機器１１は、略楕円板状の座部１２を備えている。座部１２の上面は、使用者Ｐ（図１０参照）の臀部を支持する座面１２ａとされている。座面１２ａの前端部は前方に向かってなだらかに上昇するように傾斜している。すなわち、座部１２において、前端部は他の部位に比べて若干厚さが厚くなっている。座部１２の左右方向の中央部における後寄りの位置には第１エアバッグとしての座部左エアバッグ１４及び第１エアバッグとしての座部右エアバッグ１５が左右方向に並んだ状態で埋設されている。
【００１８】
座面１２ａ上の左右方向（一方向）における両端部には、略半円ブロック状の側壁部１３が互いに対向するようにそれぞれ立設されている。これら両側壁部１３のうち、座部１２の右側に配置されたものは右側壁部１３Ａとされる一方、座部１２の左側に配置されたものは左側壁部１３Ｂとされている。
【００１９】
右側壁部１３Ａには第２エアバッグとしての右サイドエアバッグ１６が埋設される一方、左側壁部１３Ｂには、第２エアバッグとしての左サイドエアバッグ１７が埋設されている。また、座面１２ａ上の左右方向（一方向）と直交する前後方向（他方向）の両端側は開放されている。なお、右側壁部１３Ａの前寄りの位置には、身体エクササイズ機器１１を操作するための操作パネル１８が設けられている。
【００２０】
次に、身体エクササイズ機器１１の構成について詳述する。
図３に示すように、身体エクササイズ機器１１は外カバー２０を備えるとともに、該外カバー２０内にはクッション材としての右内カバー２１、クッション材としての左内カバー２２、クッション材としての上パッド２３、緩衝部材２４、中パッド２５、骨格ユニット２６、及び下パッド２７が収容されている。
【００２１】
図４及び図５に示すように、骨格ユニット２６は、略楕円状をなす底メインフレーム３０を備えている。底メインフレーム３０の左端部寄りの位置には略半円弧状をなす左メインフレーム３１が立設される一方、底メインフレーム３０の右端部寄りの位置には略半円弧状をなす右メインフレーム３２が立設されている。そして、各メインフレーム３０〜３２は、いずれも金属製のパイプによって構成されている。
【００２２】
底メインフレーム３０における左右両メインフレーム３１，３２間には、該底メインフレーム３０の前端部と後端部とを橋架するように、全体として略矩形状をなす底フレーム３３が設けられている。この底フレーム３３は、底メインフレーム３０よりも外径が小さい金属製の線材を格子状に連結することで構成されている。
【００２３】
底メインフレーム３０の左端部と左メインフレーム３１とは全体として外側に膨らむ曲面状をなす左フレーム３４によって連結される一方、底メインフレーム３０の右端部と右メインフレーム３２とは全体として外側に膨らむ曲面状をなす右フレーム３５によって連結されている。左右両フレーム３４，３５は、底フレーム３３を構成する線材と同じ線材を格子状に連結することで構成されている。
【００２４】
左右両メインフレーム３１，３２の内側には略半円板状をなすサブプレート３６がそれぞれ着脱可能に取着されている。両サブプレート３６の内側の面には、略半円板状をなす緩衝シート３７が該各面全体を覆うようにそれぞれ貼着されている。右側の緩衝シート３７の内側の面上には右サイドエアバッグ１６が左右方向に沿って蛇腹状に折り畳まれた状態で配置される一方、左側の緩衝シート３７の内側の面上には左サイドエアバッグ１７が左右方向に沿って蛇腹状に折り畳まれた状態で配置されている。
【００２５】
左右両サイドエアバッグ１６，１７における蛇腹状に折り畳まれた部分のうち最も基端側に位置する部分の下端には前後一対の舌片部１６ａ，１７ａがそれぞれ下方に向かって延設されている。そして、左右両サイドエアバッグ１６，１７は、各舌片部１６ａ，１７ａにおいて緩衝シート３７越しにそれぞれ両サブプレート３６の内側の面にねじで固定されている。
【００２６】
左側のサブプレート３６の外側の面には、交流式のポンプ４０と、身体エクササイズ機器１１全体の稼働状態を制御する制御装置（制御基板）４３と、電源４１から制御装置４３に印加される電圧を調整するトランス４２と、ポンプ４０から供給されるエアーを各エアバッグ１４〜１７に個別に振り分ける電磁弁４４とが設けられている。
【００２７】
図７に示すように、電磁弁４４は、ポンプ４０及び各エアバッグ１４〜１７とそれぞれ可撓性のチューブ４５によって接続されている。制御装置４３は、スイッチ４６及びトランス４２を介して電源４１と電気的に接続されるとともに、スイッチ４６をＯＮにすることで電源４１からの電圧が所定の値に調整された状態で印加されるようになっている。また、ポンプ４０は、スイッチ４６を介して電源４１と電気的に接続されるとともに、スイッチ４６をＯＮにすることで電源４１からの電圧が直接印加されるようになっている。
【００２８】
さらに、制御装置４３は、操作パネル１８及び電磁弁４４とそれぞれ電気的に接続されている。そして、制御装置４３は、使用者Ｐ（図１０参照）による操作パネル１８の操作によって送信される信号に基づいて自身が記憶する各種のプログラムを実行することで、電磁弁４４の開閉動作を制御するようになっている。
【００２９】
この制御装置４３による電磁弁４４の開閉動作の制御により、ポンプ４０から供給されるエアーが各エアバッグ１４〜１７に対して選択的に供給される。なお、電磁弁４４は、エアーが供給されていない各エアバッグ１４〜１７内を個別に大気開放するための大気開放弁（図示略）を備えている。
【００３０】
そして、例えば、ポンプ４０から供給されるエアーが、座部左エアバッグ１４及び左サイドエアバッグ１７に供給されるとともに、座部右エアバッグ１５及び右サイドエアバッグ１６に供給されないように、電磁弁４４の開閉動作が制御された場合には、図８及び図９に示すように、各エアバッグ１４〜１７のうち座部左エアバッグ１４及び左サイドエアバッグ１７のみが膨張する。
【００３１】
すなわち、各エアバッグ１４，１５は座面１２ａ上に向かって膨張及び収縮されるようになっている一方、各エアバッグ１６，１７は左右両側壁部１３Ａ，１３Ｂ間における座面１２ａの上方に向かって膨張及び収縮されるようになっている。なお、本実施形態において、身体エクササイズ機器１１の各エアバッグ１４〜１７は、平面視で全て座面１２ａの範囲内に収まっている。
【００３２】
図３及び図６に示すように、骨格ユニット２６の底フレーム３３の下面上には略楕円板状の下パッド２７が配置される一方、底フレーム３３の上面上には略矩形板状の中パッド２５が配置されている。そして、骨格ユニット２６には、上側から緩衝部材２４が被せられている。この緩衝部材２４は、下側が開口しているとともに、内部が骨格ユニット２６と対応した帽子状になっている。
【００３３】
すなわち、緩衝部材２４は、骨格ユニット２６の右端部であって右メインフレーム３２を含む上側への突出部分全体を覆う右袋部２４Ａと、骨格ユニット２６の左端部であって左メインフレーム３１を含む上側への突出部分全体を覆う左袋部２４Ｂと、骨格ユニット２６における底フレーム３３を含む左右両メインフレーム３１，３２間全体を覆う中央袋部２４Ｃとを備えている。
【００３４】
また、緩衝部材２４を骨格ユニット２６に被せた際に、右袋部２４Ａにおける右サイドエアバッグ１６と対応する部分及び左袋部２４Ｂにおける左サイドエアバッグ１７と対応する部分には、貫通孔２４ａがそれぞれ形成されている。そして、緩衝部材２４の上面２４ｂ上における後寄りの位置には、座部左エアバッグ１４及び座部右エアバッグ１５が左右方向に並んだ状態で固定されている。この場合、両エアバッグ１４，１５は、上下方向に沿って蛇腹状に折り畳まれた状態になっている。
【００３５】
また、緩衝部材２４の上面２４ｂ上には、該上面２４ｂ全体を両エアバッグ１４，１５ごと覆うように、略矩形板状の上パッド２３が配置されている。さらに、緩衝部材２４において、右袋部２４Ａには該右袋部２４Ａ全体を覆うように右内カバー２１が上側から被せられる一方、左袋部２４Ｂには該左袋部２４Ｂ全体を覆うように左内カバー２２が上側から被せられている。
【００３６】
これら右内カバー２１及び左内カバー２２は、下側が開口しているとともに、内部がそれぞれ右袋部２４Ａ及び左袋部２４Ｂと対応した帽子状になっている。なお、右内カバー２１、左内カバー２２、上パッド２３、緩衝部材２４、中パッド２５、及び下パッド２７は、全てクッション性を有する軟質ウレタンフォームによって構成されている。
【００３７】
またさらに、右内カバー２１、左内カバー２２、上パッド２３の上からは、外カバー２０が被せられている。すなわち、外カバー２０は、右内カバー２１全体を覆う右外袋部２０Ａと、左内カバー２２全体を覆う左外袋部２０Ｂと、上パッド２３全体を覆う中央外袋部２０Ｃとを備えている。
【００３８】
外カバー２０において、右外袋部２０Ａにおける右サイドエアバッグ１６と対応する部分、左外袋部２０Ｂにおける左サイドエアバッグ１７と対応する部分、及び中央外袋部２０Ｃにおける両エアバッグ１４，１５と対応する部分は、それぞれ伸縮性に富んだカバー部材としてのストレッチ生地２０ａによって構成されている。
【００３９】
この場合、各ストレッチ生地２０ａは２枚重ねた構成とされている。したがって、両エアバッグ１４，１５とこれらに対応するストレッチ生地２０ａとの間には上パッド２３が介在しているとともに、左右両サイドエアバッグ１６，１７とこれらに対応するストレッチ生地２０ａとの間には左右両内カバー２１，２２が介在している。
【００４０】
また、外カバー２０は、その底部分がファスナ（図示略）によって開閉自在に構成されている。そして、上記のように組み付けられた右内カバー２１、左内カバー２２、上パッド２３、緩衝部材２４、中パッド２５、骨格ユニット２６、及び下パッド２７等を外カバー２０によって覆った後には、該外カバー２０の底部分は閉じられる。なお、外カバー２０におけるストレッチ生地２０ａで構成された部分以外は、合成皮革によって構成されている。
【００４１】
次に、上述のように構成された身体エクササイズ機器１１の動作について説明する。
図１０（ａ）に示すように、身体エクササイズ機器１１は、使用者Ｐが、臀部を座面１２ａ上における各エアバッグ１４，１５と対応する位置に載せるとともに、両足をそろえた状態で前方に突き出すようにして座った状態で使用される。そして、例えば、使用者Ｐの骨盤の歪みを矯正する場合には、使用者Ｐが骨盤の位置を左右両サイドエアバッグ１６，１７に合わせた状態で操作パネル１８を操作して所望のコースを選択すると、各エアバッグ１４〜１７が所定のパターンで個別に膨張したり収縮したりする。これにより、骨盤周りのエクササイズやストレッチが行われ、使用者Ｐの骨盤の歪みが矯正される。
【００４２】
この場合、身体エクササイズ機器１１は、背もたれ部がなく、前後方向に開放された構成であるため、図１０（ａ）、（ｂ）に示すように、使用者Ｐが使用中に自由に寝そべることもできる。したがって、身体エクササイズ機器１１は、使用者Ｐが自由に寝そべったり起きあがったりした状態で使用することができる。
【００４３】
また、図１１（ａ）〜（ｃ）に示すように、例えば、使用者Ｐの太股周りを鍛える場合には、上記と同様に、使用者Ｐが太股の位置を左右両サイドエアバッグ１６，１７に合わせた状態で操作パネル１８を操作して所望のコースを選択すると、各エアバッグ１４〜１７が所定のパターンで個別に膨張したり収縮したりする。これにより、太股周りのエクササイズやストレッチが行われるので、使用者Ｐの太股周りが鍛えられる。この結果、使用者Ｐの理想の体型作りに貢献できる。
【００４４】
以上詳述した実施形態によれば次のような効果が発揮される。
（１）身体エクササイズ機器１１は、座面１２ａ上の前後方向における両端側が開放されている（背もたれ部が存在しない）ため、使用者Ｐが自由に寝そべったり起きあがったりした状態で使用することができる。したがって、使用時における使用者Ｐの姿勢の自由度を向上することができる。また、身体エクササイズ機器１１は、背もたれ部が存在しないため、ソファーの上、椅子の上、ベッドの上など様々な場所に載置して使用することができる。
【００４５】
（２）身体エクササイズ機器１１は、各エアバッグ１４〜１７が平面視で座面１２ａの範囲内に収まっているため、該各エアバッグ１４〜１７が個別に膨張及び収縮する使用時の安定性を向上することができる。
【００４６】
（３）身体エクササイズ機器１１は、各エアバッグ１４〜１７が個別に膨張及び収縮させることが可能になっているため、各エアバック１４〜１７の膨張状態及び収縮状態を適宜変更することで、様々なパターンのエクササイズやストレッチを行うことができる。
【００４７】
（４）身体エクササイズ機器１１において、左右両サイドエアバッグ１６，１７は、左右方向に沿って蛇腹状に折り畳まれるとともに、該蛇腹状に折り畳まれた部分のうち最も基端側に位置する部分の下端に設けられた各舌片部１６ａ，１７ａにおいて緩衝シート３７越しにそれぞれ両サブプレート３６の内側の面にねじで固定されている。このため、各エアバッグ１６，１７が膨張する際の膨張方向が前後方向（真横の方向）よりも下側にずれるため、各エアバッグ１６，１７が膨張した際に、該各エアバッグ１６，１７と膨張した各エアバッグ１４，１５とで使用者Ｐを包み込むように押圧することができる。
【００４８】
（５）身体エクササイズ機器１１は、両エアバッグ１４，１５とこれらに対応するストレッチ生地２０ａとの間にクッション性を有する上パッド２３が介在しているとともに、左右両サイドエアバッグ１６，１７とこれらに対応するストレッチ生地２０ａとの間にクッション性を有する左右両内カバー２１，２２が介在している。このため、各エアバッグ１４〜１７を膨張させることで、該各エアバッグ１４〜１７によりクッション性を有する上パッド２３及びクッション性を有する左右両内カバー２１，２２を介して使用者Ｐを押圧することができる。すなわち、使用者Ｐをソフトに押圧することができる。
【００４９】
（６）左側のサブプレート３６の外側の面に、ポンプ４０と、トランス４２と、制御装置４３と、電磁弁４４とが設けられているため、身体エクササイズ機器１１からこの左側のサブプレート３６を外すことで、ポンプ４０、トランス４２、制御装置４３、及び電磁弁４４のメンテナンスを容易に行うことができる。
【００５０】
（変更例）
なお、上記実施形態は、次のように変更して具体化することも可能である。
・左右両内カバー２１，２２及び上パッド２３のうち少なくとも１つを省略してもよい。
【００５１】
・左右両サイドエアバッグ１６，１７は、必ずしも左右方向に沿って蛇腹状に折り畳む必要はないし、必ずしも下端部を両サブプレート３６に固定する必要はない。
・各エアバッグ１４〜１７は、必ずしも個別に膨張及び収縮させることが可能に構成する必要はない。すなわち、各エアバッグ１４〜１７は、全て同時にしか膨張及び収縮させることができないように構成してもよい。
【００５２】
・各エアバッグ１４〜１７は、必ずしも平面視で座面１２ａの範囲内に収める必要はない。
【符号の説明】
【００５３】
１１…身体エクササイズ機器、１２…座部、１２ａ…座面、１３…側壁部、１３Ａ…右側壁部、１３Ｂ…左側壁部、１４…第１エアバッグとしての座部左エアバッグ、１５…第１エアバッグとしての座部右エアバッグ、１６…第２エアバッグとしての右サイドエアバッグ、１７…第２エアバッグとしての左サイドエアバッグ、２０ａ…カバー部材としてのストレッチ生地、２１…クッション材としての右内カバー、２２…クッション材としての左内カバー、２３…クッション材としての上パッド、Ｐ…使用者。
【図１】
2011239824.tif 000003
【図２】
2011239824.tif 000004
【図３】
2011239824.tif 000005
【図４】
2011239824.tif 000006
【図５】
2011239824.tif 000007
【図６】
2011239824.tif 000008
【図７】
2011239824.tif 000009
【図８】
2011239824.tif 000010
【図９】
2011239824.tif 000011
【図１０】
2011239824.tif 000012
【図１１】
2011239824.tif 000013